(57)【要約】  換気扇は、フランジの背面１４ａに取り付けられた第１電子部品と第２電子部品と、フランジの背面１４ａに取り付けられて外形部に爪部を有する第３電子部品と、フランジの背面１４ａに配線されて第１電子部品および第２電子部品との間を接続する内部配線３２ａと、フランジの背面１４ａに垂直にフランジの背面１４ａから突出して設けられた第１リブ２ｄと、第１リブ２ｄの側面からフランジの背面１４ａの面方向に対して平行な方向またはフランジの背面１４ａに向かって突出して設けられた第２リブ２ｅとを備えて、第２リブ２ｅの下面とフランジの背面との間に内部配線３２ａを保持する保持部２ｃと、を備える。保持部２ｃは、第１リブ２ｄにおける第２リブ２ｅよりも上部の領域に、爪部を取り付けるための取り付け穴２ｆを備え、爪部が取り付け穴２ｆに挿入されることにより第３電子部品を保持する。
2016174721.tif 000002
【特許請求の範囲】
【請求項１】
円筒状の風洞と、前記風洞の前面側の吸入口の周縁部に連接されて半径方向に広がるフランジおよび前記フランジの端縁に連接されて背面側へ突出する立ち上がり部を有する本体フレームと、前記風洞内で回転する羽根車を有する送風機と、を備え、室内の取り付け部に取り付けられる換気扇であって、
前記フランジの背面に取り付けられた第１電子部品および第２電子部品と、
前記フランジの背面に取り付けられて外形部に爪部を有する第３電子部品と、
前記前記フランジの背面に配線されて前記第１電子部品と前記第２電子部品との間を接続する内部配線と、
前記フランジの背面の面方向に対して垂直方向に前記フランジの背面から突出して設けられた第１リブと、前記第１リブの側面から前記フランジの背面の面方向に対して平行な方向または前記フランジの背面に向かって突出して設けられた第２リブと、を備えて、前記第２リブの下面と前記フランジの背面との間に前記内部配線を保持する保持部と、
を備え、
前記保持部は、前記第１リブにおける前記第２リブよりも上部の領域に、前記爪部を取り付けるための取り付け穴を備え、前記爪部が前記取り付け穴に挿入されることにより前記第３電子部品を保持すること、
を特徴とする換気扇。
【請求項２】
前記保持部は、前記フランジの背面と一体成形されていること、
を特徴とする請求項１に記載の換気扇。
【請求項３】
前記フランジの背面から背面側に突出して前記第３電子部品を保持する電子部品保持部と、
前記フランジの背面における前記保持部に対向する位置において前記フランジの背面から背面側に突出した突起部と、
を備え、
前記電子部品保持部と前記突起部との間に前記内部配線を保持すること、
を特徴とする請求項１または２に記載の換気扇。
【請求項４】
前記内部配線を背面側から覆って前記本体フレームの背面側に取り付けられた保護カバーを備えること、
を特徴とする請求項１から３のいずれか１つに記載の換気扇。
【請求項５】
前記換気扇の運転時に前記風洞を開放し、前記換気扇の停止時に前記風洞を閉鎖するシャッター部を備え、
前記第１電子部品は、前記シャッター部の開閉を制御する電動機であり、
前記第２電子部品は、供給される交流電力を前記電動機に供給する電源基板であり、
前記第３電子部品が、外部電源から供給される交流電力を前記電源基板に供給する電源部であること、
を特徴とする請求項１に記載の換気扇。
【発明の詳細な説明】
【技術分野】
【０００１】
本発明は、建物の壁または天井等の取り付け部に屋内側から設置されて、屋内の空気を吸い込んで送風管を通じて屋外へ排気する換気扇に関するものである。
【背景技術】
【０００２】
建物の壁または天井等の取り付け部において室内外を連通するパイプまたはダクト等の送風管に室内側から挿入されて装着され、室内の空気を室外へ排気して換気を行う換気扇が知られている。このような換気扇は、送風管に挿入される円筒状の風洞と、この風洞内でプロペラ式の羽根車が回転する送風機を備えている。また、円筒状の風洞の室内側開口部の外周には、半径方向に張り出すフランジが連設される。このような換気扇には、製品の運転および停止に合わせて、電動機による制御によって開閉するシャッターを有する機種が存在する。【０００３】
電動機の電線など換気扇内に配置された内部配線は、フランジ背面に設けられてフランジの背面に垂直なリブに保持されるか、ネジまたはコードクリップなどにより固定されるのが一般的である。しかしながら、フランジの背面に垂直なリブだけで内部配線を固定する場合には、内部配線が浮き上がりやすく、製品の組み立て時の配線作業を行いにくい。また、内部配線が配線された配線部をカバーで覆う場合には、カバーを取り付ける際に内部配線を挟み込んでしまう懸念がある。このため、内部配線が浮き上がらないように、配線を仮固定するための部品を新たに追加するなど、製造コストが悪化する懸念がある。【０００４】
これに対して、特許文献１には、電源コードに挟持部材の凹状部をあてがい、一対の挟持部材で電源コードを挟持したのちに、挟持部材の反凹状部側が支持片の係合溝に係合するように、挟持部材を支持片に嵌合して電源コードを保持する換気扇が開示されている。
【先行技術文献】
【特許文献】
【０００５】
【特許文献１】特開２０００−１２１１１８号公報
【発明の概要】
【発明が解決しようとする課題】
【０００６】
しかしながら、上記従来の技術によれば、フランジの背面に設けた支持片の他に、電線を挟持する挟持部材を新たに追加する必要があり、製造コストが増加する。また、この挟持部材は小部品であることから、製品の出荷から設置場所での施工までに紛失しないように管理する必要がある。このため、挟持部材を管理するための作業または構造が必要となり、製造コストが増加する。【０００７】
本発明は、上記に鑑みてなされたものであって、内部配線の浮き上がりを簡易な構造で安価に防止できる換気扇を得ることを目的とする。
【課題を解決するための手段】
【０００８】
上述した課題を解決し、目的を達成するために、本発明は、円筒状の風洞と、前記風洞の前面側の吸入口の周縁部に連接されて半径方向に広がるフランジおよび前記フランジの端縁に連接されて背面側へ突出する立ち上がり部を有する本体フレームと、前記風洞内で回転する羽根車を有する送風機と、を備え、室内の取り付け部に取り付けられる換気扇であって、前記フランジの背面に取り付けられた第１電子部品および第２電子部品と、前記フランジの背面に取り付けられて外形部に爪部を有する第３電子部品と、前記前記フランジの背面に配線されて前記第１電子部品と前記第２電子部品との間を接続する内部配線と、前記フランジの背面の面方向に対して垂直方向に前記フランジの背面から突出して設けられた第１リブと、前記第１リブの側面から前記フランジの背面の面方向に対して平行な方向または前記フランジの背面に向かって突出して設けられた第２リブと、を備えて、前記第２リブの下面と前記フランジの背面との間に前記内部配線を保持する保持部と、を備え、前記保持部は、前記第１リブにおける前記第２リブよりも上部の領域に、前記爪部を取り付けるための取り付け穴を備え、前記爪部が前記取り付け穴に挿入されることにより前記第３電子部品を保持することを特徴とする。
【発明の効果】
【０００９】
本発明にかかる換気扇は、内部配線の浮き上がりを簡易な構造で安価に防止できる換気扇が得られる、という効果を奏する。
【図面の簡単な説明】
【００１０】
【図１】本発明の実施の形態にかかる換気扇を送風管に据え付けた状態を示す模式縦断面図
【図２】本発明の実施の形態にかかる換気扇の屋外側の斜視図
【図３】本発明の実施の形態にかかる換気扇の屋外側の分解斜視図
【図４】本発明の実施の形態にかかる換気扇の本体に制御基板強電部を収納した状態を示した斜視図
【図５】本発明の実施の形態にかかる換気扇の制御基板弱電部とセンサとを示した斜視図
【図６】本発明の実施の形態にかかる換気扇の制御基板強電部と中継線との接続状態を示した模式断面図
【図７】本発明の実施の形態にかかる換気扇の制御基板弱電部と中継線との接続状態を示した模式断面図
【図８】本発明の実施の形態にかかる換気扇の制御基板弱電部と中継線との接続状態を示した模式断面図
【図９】本発明の実施の形態にかかる換気扇のセンサと中継線との接続状態を示した模式断面図
【図１０】本発明の実施の形態にかかる換気扇の背面図
【図１１】本発明の実施の形態にかかる換気扇の保持部と突起部とを示した斜視図
【図１２】本発明の実施の形態にかかる換気扇の保持部と突起部とに電線が保持された状態を示した斜視図
【図１３】本発明の実施の形態にかかる換気扇の保持部に電線が保持された状態を示した模式縦断面図
【図１４】本発明の実施の形態にかかる換気扇の保持部に電線が保持され、電源部が取り付けられた状態を示した模式縦断面図
【図１５】本発明の実施の形態にかかる換気扇の保持部と突起部とに電線が保持され、電源部が取り付けられた状態を示した斜視図
【図１６】本発明の実施の形態にかかる換気扇の保持部と突起部とに電線が保持され、保護カバーが取り付けられた状態を示した斜視図
【発明を実施するための形態】
【００１１】
以下に、本発明の実施の形態にかかる換気扇を図面に基づいて詳細に説明する。なお、この実施の形態によりこの発明が限定されるものではない。
【００１２】
実施の形態
図１は、本発明の実施の形態にかかる換気扇１を送風管７に据え付けた状態を示す模式縦断面図である。図２は、本発明の実施の形態にかかる換気扇１の屋外側５の斜視図である。図３は、本発明の実施の形態にかかる換気扇１の屋外側５の分解斜視図であり、換気扇１から保護カバー８０を外した状態を示す分解斜視図である。また、以下の図面では各構成部材の大きさの関係が実際のものとは異なる場合がある。
【００１３】
図１〜図３に示すように、本実施の形態にかかる換気扇１は、建物の壁または天井等の取り付け場所の屋内側４に、屋内側４から挿入して設置されるものである。本実施の形態では、天井６を取り付け場所とする。この換気扇１は、室内と室外とを連通させる送風管７に挿入する円筒状の風洞１１を有する樹脂製の本体フレーム１０に、送風機２０が取り付けられた本体２と、本体２の前面側において、爪嵌合等により取り付け固定された意匠グリル３とを備える。本実施の形態では、送風管７はパイプとする。なお、以降の説明においては、図１の紙面左側を「前面側」、紙面右側を「背面側」として説明する。
【００１４】
本体フレーム１０は、樹脂で構成され、送風管７に挿入される円筒状の風洞１１を有する。風洞１１の前面側、すなわち室内側には、風洞１１へ空気を吸込む吸込口である開口部１２が開口しており、風洞１１における開口部１２の周縁部１３はベルマウス形状に構成されている。この周縁部１３には、前面構造が一体に形成されている。前面構造は、周縁部１３から風洞１１の半径方向外側に向かって張り出す正方形状のフランジ１４と、フランジ１４の半径方向外側の端縁から背面側に向かって起立した立ち上がり部１５とを有する。立ち上がり部１５の端面は、換気扇１が室内に取り付けられたときに、室内側の取り付け面である天井６に当接する。
【００１５】
風洞１１、周縁部１３、フランジ１４と立ち上がり部１５とにより、本体フレーム１０の背面が凹状に形成されており、この凹状の領域に各種部材が収納可能とされている。立ち上がり部１５には、図２および図３に示すように長孔１６を有する取り付け部１７が対向位置に２つ設けられ、その各長孔１６はフランジ１４の前面に形成された図示しない取り付け孔に繋がっている。
【００１６】
送風機２０は、プロペラ式の羽根車２１と、回転軸２３を有し羽根車２１を回転させるファンモーター２２とを備える。送風機２０は、本体フレーム１０の風洞１１の背面側に取り付けられている。
【００１７】
ファンモーター取り付け部２４は、風洞１１の背面側に風洞１１の周方向に間隔をおいて設けられ、風洞１１の中心線方向に沿って背後に延出する四本の脚部２５と、各脚部２５の端部から風洞１１の半径方向内側に向かって延びるように連接された橋絡部２６と、橋絡部２６により風洞１１の中心に支持されたモーターカバー２７とを備える。四本の脚部２５は、いずれも風洞１１の外周よりも径方向内側に位置している。この橋絡部２６において、回転軸２３がモーターカバー２７の先から風洞１１の中心線上に突き出すようにファンモーター２２がねじ締めされている。そして、回転軸２３に、羽根車２１が風洞１１に内包される状態で装着されている。ファンモーター２２が動作して回転軸２３が回転することにより、羽根車２１は風洞１１内で回転する。
【００１８】
四本の脚部２５のうちの一本に連なる橋絡部２６には、風洞１１の径方向外側に向かって延びる取り付けバネ２８が装着されている。取り付けバネ２８は、半径方向への拡開弾力により本体２を送風管７内に保持するために反りが設けられている。この取り付けバネ２８は、本体２を木ねじで取り付け部に固定する前の本体２の仮止めに使用される。なお、換気扇の取り付けは、送風管に本体を差し込んで、板ばねの拡開弾力により木ねじを使わずに行うこともあるが、本体を木ねじで取り付け部に固定して行うのが一般的である。
【００１９】
意匠グリル３は、本体フレーム１０の前面構造であるフランジ１４および立ち上がり部１５を前面側から被覆する構造となっている。意匠グリル３は、換気扇１の運転時に風洞１１を開放し、停止時には風洞１１を閉鎖するシャッター部３０と、シャッター部３０を閉鎖させるためのバネ３１とを有している。意匠グリル３は、本体２に対して爪嵌合等の固定方法により着脱可能に取り付けられて固定され、取り外すことで意匠グリル３を容易に清掃することができる。
【００２０】
本体２の前面側には、シャッター部３０を開くためのロッド３３が取り付けられている。本体２の背面側には、シャッター部３０を開くための電動機３２が取り付けられている。そして、電動機３２に取り付けられた図示しないワイヤーが、本体２に設けられた図示しない開口部から本体２の前面側に引き出されている。電動機３２によってワイヤーが巻き取られる、またはワイヤーが引き出されることにより、ロッド３３の動きを制御できる。電動機３２は、後述する制御基板強電部４０から供給される交流電力により駆動する。電動機３２に電力を印加すると、ロッド３３がシャッター部３０を屋外側５から屋内側４へ押し出すことで、シャッター部３０が開き、風洞１１を開放させる構造となっている。また、換気扇１の運転停止時は、意匠グリル３に設けられたバネ３１の反力により、シャッター部３０を閉鎖させる構造となっている。
【００２１】
フランジ１４の背面において本体２の上側における左側の角部近傍領域には、電子部品の１つである電源部３４が収納されている。電源部３４は、換気扇１の外部の外部電源から供給される交流電力を、図示しない中継線を介してファンモーター２２と電動機３２とに供給する。電源部３４は、難燃性で電気絶縁性を有する合成樹脂で構成されていて、外部電源電線を接続するための接続端子を備えている。また、詳細な説明および図示は省略するが、電源部３４に接続されて使用者により操作される操作部が意匠グリル３から露出して設けられている。
【００２２】
図４は、本発明の実施の形態にかかる換気扇１の本体２に制御基板強電部４０を収納した状態を示した斜視図である。図５は、本発明の実施の形態にかかる換気扇１の制御基板弱電部５０とセンサ７０とを示した斜視図である。図６は、本発明の実施の形態にかかる換気扇１の制御基板強電部４０と中継線６０との接続状態を示した模式断面図である。図７は、本発明の実施の形態にかかる換気扇１の制御基板弱電部５０と中継線６０との接続状態を示した模式断面図である。図８は、本発明の実施の形態にかかる換気扇１の制御基板弱電部５０と中継線６１との接続状態を示した模式断面図である。図９は、本発明の実施の形態にかかる換気扇１のセンサ７０と中継線６１との接続状態を示した模式断面図である。
【００２３】
換気扇１は、室内における人の有無、室内における人の動き、室内の湿度、室内の温度、室内の特定ガスの濃度等の、換気扇１の運転の制御における判断に用いられる制御判断情報である室内の状態情報を検知し、検知結果に基づいて換気扇１の運転、停止、強運転、弱運転を自動で切り換えるために、制御基板およびセンサ７０を搭載している。制御基板としては、図３に示す制御基板強電部４０と制御基板弱電部５０とを有する。
【００２４】
制御基板強電部４０は、換気扇１の外部の図示しない外部電源から供給される交流電力を直流電力に変換するインバータ回路基板である電源基板である。制御基板強電部４０には、外部電源から交流電力が直接供給されてもよく、電源部３４を介して外部電源から交流電力が供給されてもよい。電源部３４から制御基板強電部４０に交流電流が供給される場合には、図示しない中継線により電源部３４と制御基板強電部４０とが電気的に接続される。
【００２５】
制御基板強電部４０は、保護ケース４１に収納され、保護ケース４１に覆われた状態で使用される。保護ケース４１は、水滴および埃等から制御基板強電部４０を保護し、また、制御基板強電部４０にショートが生じた場合の外部への影響を防止できる。そして、制御基板強電部４０は、保護ケース４１で覆われた状態で、フランジ１４の背面の本体２の上側における右側の角部近傍領域に収納されている。
【００２６】
制御基板強電部４０は、リード線である中継線６０を介して制御基板弱電部５０と電気的に接続されている。制御基板強電部４０は、交流電力から生成した直流電力を、中継線６０を介して制御基板弱電部５０に供給する。また、制御基板強電部４０は、外部電源から供給される交流電力を電動機３２に供給する。制御基板強電部４０には、中継線６０と接続するためのコネクタ４０ａが設けられている。また、制御基板弱電部５０には、中継線６０と接続するためのコネクタ５０ａが設けられている。一方、中継線６０の両端には、コネクタ６０ａが設けられている。そして、コネクタ４０ａとコネクタ６０ａとを接続することにより制御基板強電部４０と中継線６０とが電気的に接続され、コネクタ５０ａとコネクタ６０ａとを接続することにより制御基板弱電部５０と中継線６０とが電気的に接続される。なお、制御基板強電部４０のコネクタ４０ａに接続された中継線６０は、保護ケース４１の一側面に設けられている切り欠き部から引き出される。
【００２７】
制御基板弱電部５０は、センサ７０における検出データに基づいて換気扇１の運転、停止、強運転、弱運転を自動で切り換える制御を行う制御部である。制御基板弱電部５０は、マイクロコンピュータを搭載した回路基板により構成されている。制御基板弱電部５０は、制御基板強電部４０から中継線６０を介して供給される直流電力を電源とする。
【００２８】
制御基板弱電部５０は、図３に示すように、制御基板強電部４０からの中継線６０の引き出し方向となっているフランジ１４の背面の本体２の下側に収納されている。
【００２９】
制御基板弱電部５０とセンサ７０とは、中継線６１を介して各種情報の送受信が可能である。また、制御基板弱電部５０は、制御基板強電部４０から中継線６０を介して供給される直流電力の一部を、中継線６１を介してセンサ７０に供給する。センサ７０は、制御基板弱電部５０から中継線６１を介して供給される直流電力を電源とする。
【００３０】
また、制御基板弱電部５０は、センサ７０での検出結果に基づいて換気扇１の運転の切り換えを自動制御する際の閾値となる、室内の湿度、室内の温度、室内の特定ガスの濃度の設定値を変更するための設定部５１を備える。設定部５１としては、詳細な説明は省略するが一般的なスイッチ付き可変抵抗が使用される。制御基板弱電部５０は、設定部５１において設定される値に基づいて、室内の湿度、室内の温度、室内の特定ガスの濃度の設定値を既定の演算処理によって演算する。そして、制御基板弱電部５０は、この演算結果を閾値として使用し、換気扇１の運転、停止、強運転、弱運転を自動で切り換える。また、制御基板弱電部５０は、運転状態を連続運転−センサ自動運転−運転停止に変更できる運転状態切り換え部５２を有する。
【００３１】
センサ７０には、中継線６１と接続するためのコネクタ７０ａが設けられている。また、制御基板弱電部５０には、中継線６１と接続するためのコネクタ５０ｂが設けられている。一方、中継線６１の両端には、コネクタ６１ａが設けられている。そして、コネクタ７０ａとコネクタ６１ａとを接続することによりセンサ７０と中継線６１とが電気的に接続され、コネクタ５０ｂとコネクタ６１ａとを接続することにより制御基板弱電部５０と中継線６１とが電気的に接続される。これにより、中継線６１を介して制御基板弱電部５０とセンサ７０とが電気的に接続される。
【００３２】
人の動き、室内の湿度、室内の温度、室内の特定ガスの濃度を検知するセンサ７０は、フランジ１４の背面において、制御基板弱電部５０の収納部の横の位置に収納されている。そして、制御基板弱電部５０においてコネクタ５０ｂをセンサ７０の配置領域側に設けることにより、短い長さの中継線６１によって制御基板弱電部５０とセンサ７０とを接続できるため中継線６１のコストを削減でき、また中継線６１の配線作業を容易にすることが可能となる。
【００３３】
また、制御基板強電部４０、制御基板弱電部５０、センサ７０は、これらを背面側から覆う保護カバー８０によりフランジ１４の背面に固定され、外部から絶縁されている。また、中継線６０および中継線６１も保護カバー８０により覆われて外部から絶縁されている。また、制御基板強電部４０に電源部３４を介して外部電源から交流電力が供給される場合に制御基板強電部４０と電源部３４とを接続する中継線も保護カバー８０により覆われて外部から絶縁される。すなわち、保護カバー８０は、フランジ１４の背面に配置された電子部品および電気接続部品を覆って本体フレーム１０の背面側に取り付けられ、これらの部材を保護する。保護カバー８０を本体２の背面側に取り付けることにより、保護カバー８０で覆われる領域に配置される電子部品および電気接続部品への水滴および埃等の異物の付着量を低減することができる。また、制御基板を外部から絶縁でき、電子部品および電気接続部品への傷付きを防止できる。また、制御基板強電部４０、制御基板弱電部５０、センサ７０、中継線６０，６１を１つの保護カバー８０で覆うことができるため、部品標準化および使用部品点数の削減、および金型費抑制、組立作業時間短縮の効果が得られる。
【００３４】
保護カバー８０は、図２および図３に示すように保護カバー８０の外周に設けられた複数の爪部８０ａおよび引っ掛け部８０ｂを、本体２側に設けられて爪部８０ａおよび引っ掛け部８０ｂと係合する引っ掛け部２ａおよび爪部２ｂに引っ掛けることにより爪嵌合にて本体２に取り付けられて、フランジ１４の背面に固定される。引っ掛け部２ａは、本体２における立ち上がり部１５に複数設けられている。また、爪部２ｂは、フランジ１４から背面側に突出して設けられた仕切り板１８に複数設けられている。本体２に取り付けられた保護カバー８０は、フランジ１４側の面の少なくとも一部が制御基板強電部４０、制御基板弱電部５０およびセンサ７０に当接することにより、制御基板強電部４０、制御基板弱電部５０およびセンサ７０を背面側からフランジ１４の背面に固定できる。
【００３５】
保護カバー８０は、本体２に取り付けられた際に、立ち上がり部１５の端面から突出しない。すなわち、保護カバー８０の背面は凹凸を有しているが、フランジ１４に対する垂直方向において、本体２に取り付けられた保護カバー８０の背面側の位置は、立ち上がり部１５の端面と同一位置または立ち上がり部１５の端面よりもフランジ１４側に位置する。これにより、換気扇１を天井６に取り付けた際に本体フレーム１０が天井６から浮くことがない。また、フランジ１４に対する垂直方向における保護カバー８０の背面の位置に関して、電気接続部品である中継線６０が配置された領域を覆っている部分は、電子部品である制御基板強電部４０および制御基板弱電部５０を覆っている部分よりもフランジ１４側に位置する。
【００３６】
つぎに、本実施の形態にかかる換気扇１における内部配線の保持構造について説明する。図１０は、本発明の実施の形態にかかる換気扇１の背面図である。フランジ１４の背面においては、図２、図３、図１０に示すように、フランジ１４の背面の本体２の下側における左側の角部近傍領域に電動機３２が収納されている。電動機３２は、上述したように風洞１１、周縁部１３、フランジ１４と立ち上がり部１５とにより本体フレーム１０の背面に形成された凹状の領域に収納されている。また、フランジ１４の背面の本体２の上側における左側の角部近傍領域に電源部３４が収納されている。
【００３７】
保護カバー８０により覆われた制御基板強電部４０と電動機３２とは、フランジ１４の背面における上記の凹状の領域において、図１０に示すように内部配線である電線３２ａにより接続されている。電線３２ａは、制御基板強電部４０から電動機３２に電力を供給するための中継線であり、フランジ１４の背面において配線されている。なお、図２および図３においては、電線３２ａを省略している。
【００３８】
一方、制御基板強電部４０は、図３および図４に示すように、上記の凹状の領域においてフランジ１４の背面の本体２の上側における右側の角部近傍に収納されている。したがって、電線３２ａは、フランジ１４の背面において、図１０に示すように本体２の下側における左側の角部近傍の領域から本体２の上側における右側の角部近傍の領域まで、風洞１１の曲面形状に沿う形で配置されている。
【００３９】
図１１は、本発明の実施の形態にかかる換気扇１の保持部２ｃと突起部２ｇとを示した斜視図である。図１２は、本発明の実施の形態にかかる換気扇１の保持部２ｃと突起部２ｇとに電線３２ａが保持された状態を示した斜視図である。図１３は、本発明の実施の形態にかかる換気扇１の保持部２ｃに電線３２ａが保持された状態を示した模式縦断面図である。図１４は、本発明の実施の形態にかかる換気扇１の保持部２ｃに電線３２ａが保持され、電源部３４が取り付けられた状態を示した模式縦断面図である。
【００４０】
電線３２ａは、図１０、図１２〜図１４に示すように、保持部２ｃにより保持されている。保持部２ｃは、フランジの背面１４ａにおける電源部３４の配置領域と風洞１１との間の領域に配置されている。保持部２ｃは、図１１〜図１３に示すように、フランジの背面１４ａの面方向に対して垂直方向に設けられた第１リブ２ｄと、フランジの背面１４ａの面方向に対して平行な方向に設けられた第２リブ２ｅとにより構成されている。保持部２ｃは、図１３および図１４に示すように、第２リブ２ｅとフランジの背面１４ａとの間の保持空間２ｉにおいて電線３２ａを保持する。保持部２ｃは、フランジ１４の背面の本体２の左側において、取り付け部１７よりも上側の領域に設けられている。保持部２ｃは、フランジ１４と同じ樹脂により、フランジ１４と一体成形されている。
【００４１】
第１リブ２ｄは、図１３に示すように、４つの側面のうち、面積の大きい第１側面２ｄａおよび該第１側面２ｄａに対向する第２側面２ｄｂが、フランジ１４の背面の本体２の左側の立ち上がり部１５の面方向に平行であり、直方体形状に設けられている。第１リブ２ｄの高さは、フランジ１４の背面に取り付けられた電源部３４の上面と同じまたは低い。第２リブ２ｅは、第１リブ２ｄの第１側面２ｄａから、フランジ１４の背面の本体２の左側の立ち上がり部１５に向かって突出して設けられている。
【００４２】
このように構成された保持部２ｃは、第２リブ２ｅとフランジの背面１４ａとの間の保持空間２ｉにおいて電線３２ａを保持するため、電線３２ａの上下方向の移動が規制され、電線３２ａが浮き上がることを防止できる。これにより、換気扇１の組み立て時に電線３２ａが浮き上がることがなく、配線作業を効率良くスムーズに行うことができる。また、電線３２ａを配置した配線部にカバーを取り付ける際に電線３２ａを挟み込むことを防止できる。そして、保持部２ｃは、フランジ１４と一体成形されている。このため、電線３２ａが浮き上がらないように電線３２ａを押さえるための新たな別部品の追加、またはテープ等の接着部品により電線を仮固定する必要がなくなり、製造コストの悪化が生じない。これにより、換気扇１では、電線３２ａの配置部を保護カバー８０で覆う場合においても換気扇１の組み立て時における電線３２ａの噛み込みに対する配慮および管理が軽減されるとともに、電線３２ａの傷付きを軽減できるため、組み立て性が良く、安全な構造を安価に実現できる。
【００４３】
第２リブ２ｅの下面とフランジの背面１４ａとの距離Ｌを必要最小寸法とすることで、電線３２ａを、保持部２ｃのフランジ面に水平な第２リブ２ｅとフランジ１４との間から外れにくく保持することができる。第２リブ２ｅの下面とフランジの背面１４ａとの距離Ｌの必要最小寸法は、電線３２ａを第２リブ２ｅとフランジの背面１４ａとの間の保持空間２ｉに抜き差しできる程度の寸法であり、電線３２ａの最大断面寸法よりも大きい程度とされる。したがって、第２リブ２ｅの下面とフランジの背面１４ａとの距離Ｌは、少なくとも電線３２ａが保持部２ｃに保持される際の、第１リブ２ｄの高さ方向における、電線３２ａの最大断面寸法、すなわち電線３２ａの長手方向に垂直な断面における最大寸法以上である。また、電線３２ａを保護チューブで覆う場合は、第２リブ２ｅの下面とフランジの背面１４ａとの距離Ｌの必要最小寸法は、保護チューブで覆われた電線３２ａを第２リブ２ｅとフランジの背面１４ａとの間の保持空間２ｉに抜き差しできる程度の寸法であり、保護チューブを含めた電線３２ａの最大断面寸法よりも大きい程度とされる。そして、電線３２ａを保護チューブで覆う場合は、第２リブ２ｅの下面とフランジの背面１４ａとの距離Ｌは、少なくとも電線３２ａが保持部２ｃに保持される際の、第１リブ２ｄの高さ方向における、保護チューブを含めた電線３２ａの最大断面寸法、すなわち保護チューブを含めた電線３２ａの長手方向に垂直な断面における最大寸法以上である。なお、第２リブ２ｅの下面とフランジの背面１４ａとの距離Ｌの必要最小寸法は、電線３２ａの断面寸法、および電線３２ａの断面形状においてどのような配置で電線３２ａを第２リブ２ｅとフランジの背面１４ａとの間の保持空間２ｉに保持するかなどの条件によって適宜設定されればよい。また、電線３２ａが断面方向において変形可能な場合には、突起部２ｇと電源部保持部２ｈとの間の寸法を電線３２ａの断面寸法よりも小さくしてもよい。
【００４４】
第１リブ２ｄの第１側面２ｄａからの第２リブ２ｅの突出長さは、少なくとも電線３２ａの最大断面寸法、すなわち電線３２ａの長手方向に垂直な断面における最大寸法以上であることが好ましい。また、電線３２ａを保護チューブで覆う場合は、第１リブ２ｄの第１側面２ｄａからの第２リブ２ｅの突出長さは、少なくとも保護チューブを含めた電線３２ａの最大断面寸法、すなわち保護チューブを含めた電線３２ａの長手方向に垂直な断面における最大寸法以上であることが好ましい。第２リブ２ｅの突出長さを、このように設定することにより、電線３２ａが第２リブ２ｅとフランジの背面１４ａとの間の保持空間２ｉから外れにくくなる。また、第２リブ２ｅは、図１３に示すように第１リブ２ｄの高さ方向における中央領域付近に設けられる。
【００４５】
第１リブ２ｄの第１側面２ｄａにおける上部領域には、図１１〜図１４に示すように、電源部３４の外形部に設けられた爪部３４ａを取り付けるための取り付け穴２ｆが設けられている。電源部３４の外形部に設けられた爪部３４ａを第１リブ２ｄの取り付け穴２ｆに挿入すると、爪部３４ａが取り付け穴２ｆの縁に引っかかって係合し、電源部３４を第１リブ２ｄで保持することができる。すなわち、保持部２ｃにおいては、第１リブ２ｄの高さ方向において、相対的に上部の領域に電源部３４の保持機能を有し、相対的に下部の領域に電線３２ａの保持機能を有する。
【００４６】
なお、電源部３４は、爪部３４ａと取り付け穴２ｆとの係合のみにより保持されているわけではない。電源部３４は、爪部３４ａと取り付け穴２ｆとの係合と、電源部３４の外形部に設けられた図示しない複数の爪部を立ち上がり部１５の内面側に設けられた図示しない複数の引っ掛け部に引っ掛けることによる、爪部と引っ掛け部との係合によって本体２に取り付けられて、フランジ１４の背面に固定される。
【００４７】
取り付け穴２ｆおよび第２リブ２ｅは、スライドコア方式の金型を用いて製作することで、屋内側４のフランジ１４の一部に開口穴を設けずに作製することができる。このため、室内側からフランジ１４の背面側への電源部３４およびこの周辺への埃等の侵入を抑制することができる。また、換気扇１の運転停止時におけるフランジ１４の背面側から室内側への屋外空気の侵入を抑制することができる。そして、室内側への屋外空気の侵入を抑制することにより、換気扇１の運転停止時に、冬季などの屋内外の温度差が大きい場合でも、意匠グリル３およびシャッター部３０の表面への結露発生量を低減することが可能となる。したがって、換気扇１では、外気侵入耐性および結露耐性を向上させることができる。
【００４８】
また、保持部２ｃに、電線３２ａの保持機能と、電源部３４の保持機能とを持たせ、取り付け穴２ｆおよび第２リブ２ｅの形成において金型のスライドコア部を共用化させることで、スライドコア部の数を増やすことなく金型を製作することができる。すなわち、保持部２ｃに、電源部３４の保持するための取り付け穴２ｆを設けることにより、スライドコア方式を用いてフランジの背面１４ａに電線３２ａの保持機能と電源部３４の保持機能とを製造する際に、スライドコア部が増えることによるフランジ１４の樹脂成形における金型製作費用の増加を抑制することができる。そして、電源部３４の固定用の取り付け穴２ｆのために必要な突起部を第１リブ２ｄとして利用し、該第１リブ２ｄに第２リブ２ｅを設けることにより、フランジの背面１４ａの構造の複雑化を抑制し、フランジ１４の樹脂成形における金型製作費用の増加を抑制することができる。
【００４９】
なお、取り付け穴２ｆおよび第２リブ２ｅをスライドコア方式の金型を用いずに製作する場合には、第２リブ２ｅは、第１リブ２ｄの第１側面２ｄａからフランジの背面１４ａに向かって高さが低くなる板状に突出して設けられてもよい。この場合は、第２リブ２ｅの自由端、すなわち先端部とフランジの背面１４ａとの距離は、上記と同様に、第２リブ２ｅの下面とフランジの背面１４ａとの間に電線３２ａを保持可能とされる寸法に適宜設定されればよい。この場合も、第２リブ２ｅとフランジの背面１４ａとの間に電線３２ａを保持することにより、第２リブ２ｅがフランジの背面１４ａの面方向に対して平行な方向に設けられた場合と同様の効果が得られる。ただし、スライドコア方式を用いない場合は、フランジの背面１４ａの一部に開口部が必要となるため、外気侵入耐性および結露耐性の向上効果は得られないが、電線３２ａが浮き上がることを防止できる。
【００５０】
また、フランジ１４の背面１４ａにおいては、図１１、図１２、図１５、図１６に示すように、電源部３４の図示しない引っ掛け部を取り付ける電子部品保持部である電源部保持部２ｈが、フランジ１４の背面の本体２の上側における電源部３４の配置領域の近傍領域に設けられている。図１５は、本発明の実施の形態にかかる換気扇１の保持部２ｃと突起部２ｇとに電線３２ａが保持され、電源部３４が取り付けられた状態を示した斜視図である。図１５では、電源部３４の一部が倒伏状態とされ、他の一部が起立状態とされた状態の換気扇１の屋外側５の斜視図を示している。電源部３４は、図示しない回転軸を介して本体フレーム１０に回動可能に軸支されている。電源部３４は、フランジの背面１４ａに対して０度から９０度程度の範囲で倒伏および起立可能である。図１６は、本発明の実施の形態にかかる換気扇１の保持部２ｃと突起部２ｇとに電線３２ａが保持され、保護カバー８０が取り付けられた状態を示した斜視図である。そして、保持部２ｃと電源部保持部２ｈとの周辺領域には、図１１、図１２、図１５、図１６に示すように突起部２ｇが設けられている。
【００５１】
電動機３２から引き出されて保持部２ｃに保持され、該保持部２ｃからフランジ１４の背面の本体２の上側に引き出された電線３２ａは、突起部２ｇと電源部保持部２ｈとの間に保持される。突起部２ｇと電源部保持部２ｈとの間の寸法を電線３２ａの断面寸法とすることにより、電源部保持部２ｈと突起部２ｇとの間に挟み込んで確実に保持することができる。すなわち、突起部２ｇと電源部保持部２ｈとは、電線３２ａを保持する保持機能を有するとともに、電線３２ａを制御基板強電部４０の方向に案内する。なお、突起部２ｇと電源部保持部２ｈとの間の寸法は、電線３２ａの断面寸法、および電線３２ａの断面形状においてどのような配置で電線３２ａを突起部２ｇと電源部保持部２ｈとの間に保持するかなどの条件によって適宜設定されればよい。
【００５２】
また、電線３２ａが断面方向において変形可能な場合には、突起部２ｇと電源部保持部２ｈとの間の寸法を電線３２ａの断面寸法よりも小さくしてもよい。これにより、電線３２ａの、フランジの背面１４ａの面方向における移動が規制され、電線３２ａが制御基板強電部４０の方向に確実に案内される。また、突起部２ｇと電源部保持部２ｈとの間の寸法を電線３２ａの断面寸法よりも大きくした場合でも、フランジの背面１４ａの面方向における電線３２ａの移動を規制できる。
【００５３】
図１２に示すように電線３２ａを保持部２ｃで保持し、さらに該電線３２ａを電源部保持部２ｈと突起部２ｇとの間で保持した後に、電源部３４を保持部２ｃに取り付ける。これにより、換気扇１の組み立て時に電線３２ａが保持部２ｃから浮き上がることをより確実に防止し、電線３２ａの保持部２ｃからの浮き上がりに起因した電線３２ａの傷付きをより確実に未然に防ぐことができる。
【００５４】
なお、換気扇１においては、制御基板強電部４０は、電源部３４を介さずに外部電源から交流電力が直接供給されてもよい。このような場合は、突起部２ｇと電源部保持部２ｈとの間の寸法を必要最小寸法とすることで、電線３２ａを電源部保持部２ｈと突起部２ｇとの間、および保持部２ｃの２か所で保持することができるため、電源部３４を有する機種の、電源部３４を保持部２ｃに取り付けた場合と同様の効果が期待できる。
【００５５】
また、突起部２ｇの側面には、図１１、図１２、図１５、図１６に示すように、保護カバー８０の引っ掛け部８０ｂを取り付けるための爪部２ｂが設けられている。これにより、保護カバー８０を本体２の背面に取り付けた後に、工場出荷から施工現場までの流通過程等のタイミングで外れ難い構造とされている。保護カバー８０を本体２の背面側に取り付けることにより、保護カバー８０で覆われる領域に配置される電子部品および電気接続部品への水滴および埃等の異物の付着量を低減することができる。また、保護カバー８０で覆われる領域に配置される電子部品および電気接続部品を外部から絶縁するとともに、配線部の電線３２ａに傷付き防止用のチューブ等の保護部材の取り付け処置を施さなくても電線３２ａへの傷付きを防止することができる。すなわち、換気扇１は、電線３２ａに用いる保護チューブ等の保護部材の数量、および使用量を軽減することができ、コストの低減が可能である。また、保護部材の取り付け作業を削減できるため、組み立ての容易性および作業効率を向上させることができる。これにより、換気扇１は、組み立て作業が容易であり、電線３２ａへの傷付きが防止されてより安全な換気扇を、安価な製造コストで実現することが可能となる。
【００５６】
また、電子部品を保持する機能を有していない場合でも、上述したようにフランジの背面１４ａの面方向に対して垂直方向に設けられた第１リブ２ｄと、フランジの背面１４ａの面方向に対して平行な方向に設けられた第２リブ２ｅとにより構成されて、第２リブ２ｅとフランジの背面１４ａとの間に内部配線を保持する機能を有する配線保持部を構成することができる。この場合も、保持部２ｃを設けた場合と同様に、内部配線の上下方向の移動が規制され、内部配線が浮き上がることを防止できる。
【００５７】
これにより、換気扇１の組み立て時に内部配線が浮き上がることがなく、配線作業を効率良くスムーズに行うことができる。また、内部配線を配置した配線部にカバーを取り付ける際に内部配線を挟み込むことを防止できる。そして、配線保持部がフランジ１４と一体成形されることにより、内部配線が浮き上がらないように内部配線を押さえるための新たな別部品の追加、またはテープ等の接着部品により電線を仮固定する必要がなくなり、製造コストの悪化が生じない。そして、このような配線保持部は、換気扇１におけるフランジの背面１４ａ上に配置される、電線３２ａ以外の任意の配線に適用可能である。
【００５８】
上述したように、本実施の形態にかかる換気扇１は、フランジの背面１４ａに保持部２ｃを備えることにより、簡易な構造で電線の浮き上がりを防止して電線をフランジ背面に保持できるため、換気扇１の組み立て時においても電線の浮き上がりを防止できる。これにより、本実施の形態にかかる換気扇１では、電線３２ａを押さえるための新たな部品の追加または作業が不要である。そして、電線３２ａの配置部を保護カバー８０で覆う場合においても電線３２ａの噛み込みに対する配慮および管理が軽減されるとともに、電線３２ａの傷付きを軽減できる。
【００５９】
したがって、本実施の形態にかかる換気扇１によれば、組み立て作業が容易であり、電線３２ａへの傷付きが防止されてより安全な換気扇を、簡易な構造で、且つ安価な製造コストで実現することが可能である。
【００６０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６１】
１  換気扇、２  本体、２ａ，８０ｂ  引っ掛け部、２ｂ，８０ａ  爪部、２ｃ  保持部、２ｄ  第１リブ、２ｄａ  第１側面、２ｄｂ  第２側面、２ｅ  第２リブ、２ｆ  取り付け穴、２ｇ  突起部、２ｈ  電源部保持部、２ｉ  保持空間、３  意匠グリル、４  屋内側、５  屋外側、６  天井、７  送風管、１０  本体フレーム、１１  風洞、１２  開口部、１３  周縁部、１４  フランジ、１５  立ち上がり部、１６  長孔、１７  取り付け部、１８  仕切り板、２０  送風機、２１  羽根車、２２  ファンモーター、２３  回転軸、２４  ファンモーター取り付け部、２５  脚部、２６  橋絡部、２７  モーターカバー、２８  取り付けバネ、３０  シャッター部、３１  バネ、３２  電動機、３２ａ  電線、３３  ロッド、３４  電源部、３４ａ  爪部、４０  制御基板強電部、４０ａ  コネクタ、４１  保護ケース、５０  制御基板弱電部、５０ａ  コネクタ、５０ｂ  コネクタ、５１  設定部、５２  運転状態切り換え部、６０  中継線、６０ａ  コネクタ、６１  中継線、６１ａ  コネクタ、７０  センサ、７０ａ  コネクタ、８０  保護カバー。
【図１】
2016174721.tif 000003
【図２】
2016174721.tif 000004
【図３】
2016174721.tif 000005
【図４】
2016174721.tif 000006
【図５】
2016174721.tif 000007
【図６】
2016174721.tif 000008
【図７】
2016174721.tif 000009
【図８】
2016174721.tif 000010
【図９】
2016174721.tif 000011
【図１０】
2016174721.tif 000012
【図１１】
2016174721.tif 000013
【図１２】
2016174721.tif 000014
【図１３】
2016174721.tif 000015
【図１４】
2016174721.tif 000016
【図１５】
2016174721.tif 000017
【図１６】
2016174721.tif 000018
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
円筒状の風洞と、前記風洞の前面側の吸入口の周縁部に連接されて半径方向に広がるフランジおよび前記フランジの端縁に連接されて背面側へ突出する立ち上がり部を有する本体フレームと、前記風洞内で回転する羽根車を有する送風機と、を備え、室内の取り付け部に取り付けられる換気扇であって、
前記フランジの背面に取り付けられた第１電子部品および第２電子部品と、
前記フランジの背面に取り付けられて外形部に爪部を有する第３電子部品と、
前記フランジの背面に配線されて前記第１電子部品と前記第２電子部品との間を接続する内部配線と、
前記フランジの背面の面方向に対して垂直方向に前記フランジの背面から突出して設けられた第１リブと、前記第１リブの側面から前記フランジの背面の面方向に対して平行な方向または前記フランジの背面に向かって突出して設けられた第２リブと、を備えて、前記第２リブの下面と前記フランジの背面との間に前記内部配線を保持する保持部と、
前記フランジの背面から背面側に突出して前記第３電子部品を保持する電子部品保持部と、
前記フランジの背面における前記保持部に対向する位置において前記フランジの背面から背面側に突出した突起部と、
を備え、
前記保持部は、前記第１リブにおける前記第２リブよりも上部の領域に、前記爪部を取り付けるための取り付け穴を備え、前記爪部が前記取り付け穴に挿入されることにより前記第３電子部品を保持し、
前記電子部品保持部と前記突起部との間に前記内部配線を保持すること、
を特徴とする換気扇。
【請求項２】
前記保持部は、前記フランジの背面と一体成形されていること、
を特徴とする請求項１に記載の換気扇。
【請求項３】
前記内部配線を背面側から覆って前記本体フレームの背面側に取り付けられた保護カバーを備えること、
を特徴とする請求項１または２に記載の換気扇。
【請求項４】
前記換気扇の運転時に前記風洞を開放し、前記換気扇の停止時に前記風洞を閉鎖するシャッター部を備え、
前記第１電子部品は、前記シャッター部の開閉を制御する電動機であり、
前記第２電子部品は、供給される交流電力を前記電動機に供給する電源基板であり、
前記第３電子部品が、外部電源から供給される交流電力を前記電源基板に供給する電源部であること、
を特徴とする請求項１から３のいずれか１つに記載の換気扇。
【手続補正２】
【補正対象書類名】明細書
【補正対象項目名】０００８
【補正方法】変更
【補正の内容】
【０００８】
上述した課題を解決し、目的を達成するために、本発明は、円筒状の風洞と、前記風洞の前面側の吸入口の周縁部に連接されて半径方向に広がるフランジおよび前記フランジの端縁に連接されて背面側へ突出する立ち上がり部を有する本体フレームと、前記風洞内で回転する羽根車を有する送風機と、を備え、室内の取り付け部に取り付けられる換気扇であって、前記フランジの背面に取り付けられた第１電子部品および第２電子部品と、前記フランジの背面に取り付けられて外形部に爪部を有する第３電子部品と、前記フランジの背面に配線されて前記第１電子部品と前記第２電子部品との間を接続する内部配線と、前記フランジの背面の面方向に対して垂直方向に前記フランジの背面から突出して設けられた第１リブと、前記第１リブの側面から前記フランジの背面の面方向に対して平行な方向または前記フランジの背面に向かって突出して設けられた第２リブと、を備えて、前記第２リブの下面と前記フランジの背面との間に前記内部配線を保持する保持部と、前記フランジの背面から背面側に突出して前記第３電子部品を保持する電子部品保持部と、前記フランジの背面における前記保持部に対向する位置において前記フランジの背面から背面側に突出した突起部と、を備え、前記保持部は、前記第１リブにおける前記第２リブよりも上部の領域に、前記爪部を取り付けるための取り付け穴を備え、前記爪部が前記取り付け穴に挿入されることにより前記第３電子部品を保持し、前記電子部品保持部と前記突起部との間に前記内部配線を保持すること、を特徴とする。
【国際調査報告】
2016174721.tif 000019
2016174721.tif 000020
2016174721.tif 000021
2016174721.tif 000022